(57)【要約】【課題】座った操作者の見易い位置や角度に自動で動く画面を内蔵したテーブルを提供する。【解決手段】テーブルの下部に配置した人感センサまたはテーブル内に配置した無線受信機を併用して、操作者または無線送信機を持った操作者が座った位置を検出し、操作者の前へテーブル面下の専用画面を移動機構により自動的に移動させる。また、利用者が座った位置を検出し、操作者と利用者の中間方向に共用画面が向くように角度調整機構により向きを調整する。【選択図】図１
2009136510.tif 000002
【特許請求の範囲】
【請求項１】
表示装置内蔵のテーブルであって、人物の着席位置を検出するセンサと、該センサの検出情報に基づき内蔵したモータ制御によりテーブル面下を移動可能な１つまたは複数の画面を具備するテーブル。
【請求項２】
請求項１のテーブルであって、無線受信機を備え、操作員が持っている無線発信機の発信を受信し、人物着席位置が複数であった場合に、いずれの着席位置が操作員かを特定可能なテーブル。
【請求項３】
請求項２のテーブルであって、該操作員の位置により、自動的に画面の位置を移動可能なテーブル。
【請求項４】
表示装置内蔵のテーブルであって、人物の着席位置を検出するセンサと、該センサの検出情報に基づき内蔵したモータ制御によりテーブル端の支柱に具備した１つまたは複数の画面の角度を変更可能なテーブル。
【請求項５】
請求項４のテーブルであって、無線受信機を備え、操作員が持っている無線発信機の発信を受信し、人物着席位置が複数であった場合に、いずれの着席位置が操作員かを該操作員がテーブルのどの位置の近くにいるか特定可能なテーブル。
【請求項６】
請求項５のテーブルであって、該操作員の位置により、自動的に画面の角度を変更可能なテーブル。
【発明の詳細な説明】
【技術分野】
【０００１】
本発明は表示装置内蔵のテーブルに関する。
【背景技術】
【０００２】
現状の表示装置内蔵テーブルは、円形のテーブル面下に操作員が見る専用画面を内蔵し、テーブル端の支柱に利用者と操作員が見る共用画面を有する。専用画面の取付け位置は対称位置を含めて２箇所に付け替えることができる。
【発明の開示】
【発明が解決しようとする課題】
【０００３】
現状の表示装置内蔵テーブルでは、テーブル全体の設置状態に対して、操作員の座る位置、蛍光灯などの写り込みなどから、専用画面の位置を変更したい場合、取付け位置が２箇所では自由度がなく、希望する状態に設置できない問題があった。また、共用画面の方向は手動で調整しなければならない問題があった。
【０００４】
本発明は、このような従来の表示装置内蔵テーブルの課題を考慮し、画面位置を操作員と利用者の見やすい位置に自動的に配置する表示装置内蔵テーブルを提供することを目的とする。
【課題を解決するための手段】
【０００５】
前述の課題を解決するために、本発明は、表示装置内蔵のテーブルであって、人物の着席位置を検出するセンサと、該センサの検出情報に基づき内蔵したモータ制御によりテーブル面下を移動可能な１つまたは複数の画面を具備するように構成させることにある。
【０００６】
さらには、前述のテーブルであって、無線受信機を複数備え、操作員が持っている無線発信機の発信を受信し、該操作員がテーブルのどの位置の近くにいるか特定可能なように構成させることにある。
【０００７】
さらには、前述のテーブルであって、該操作員の位置により、自動的に画面の位置を移動可能なように構成させることにある。
【０００８】
また、表示装置内蔵のテーブルであって、人物の着席位置を検出するセンサと、該センサの検出情報に基づき内蔵したモータ制御によりテーブル端の支柱に具備した１つまたは複数の画面の角度を変更可能なように構成させることにある。
【０００９】
さらには、前述のテーブルであって、無線受信機を備え、操作員が持っている無線発信機の発信を受信し、該操作員がテーブルのどの位置の近くにいるか特定可能なように構成させることにある。
【００１０】
さらには、前述のテーブルであって、該操作員の位置により、自動的に画面の角度を変更可能なように構成させることにある。
【発明の効果】
【００１１】
本発明によれば、テーブルの据付後も、画面位置や角度を人物の着席位置にあわせて、適切な位置、方向へ自動的に調整できる表示装置内蔵テーブルを提供することができる。
【発明を実施するための最良の形態】
【００１２】
以下、本発明の実施の形態について説明する。
【００１３】
図１は、本発明の表示装置内蔵テーブルのシステム構成例を示す。
【００１４】
表示装置内蔵テーブルは、テーブル１と、専用画面２と、レール３と、人感センサ４（１〜ｎ：ｎは任意の自然数）と、支柱５と、共用画面６と、無線受信機７ａ，７ｂと、テーブル面８と、移動機構９と、角度調整機構１０と、台座１１と、制御装置１２とを有する。
【００１５】
テーブル１内部に円周状にレール３を備え、レール３に沿って移動機構９によって移動できる専用画面２を備える。
【００１６】
人感センサ４は検出距離の短いセンサを複数用い、テーブル１の円周下側に配置する。
【００１７】
支柱５に角度調整機構１０を介して共用画面６を備える。
【００１８】
無線受信機７は、テーブル１の対角上にそれぞれ備える。操作員は無線送信機１３を持ち、近接した無線受信機７は無線情報を受信し、制御装置１２に送る。無線送信機１３の送信出力は、対角の無線受信機７が無線情報を受信しない程度に制限されている。
【００１９】
テーブル面８は、専用画面２の視認や移動を妨げない、透明で強度のある材質を用いてテーブル上面を覆う。
【００２０】
台座１１の中に制御装置１２を備える。人感センサ４と無線受信機７は制御装置１２に接続され、センサの検知情報と無線受信情報を制御装置１２に上げる。移動機構９と角度調整機構１０は制御装置１２に接続され、センサの検知情報と無線受信情報を基に専用画面位置と共用画面方向を算出し、移動機構９と角度調整機構１０を制御する。
【００２１】
図２は専用画面の移動機構の構成図を示す。
【００２２】
テーブル面８の下に内蔵する専用画面２は、テーブル１内部のレール３に沿って移動機構９により移動する。
【００２３】
図３は共用画面の角度調整機構の構成図を示す。
【００２４】
支柱５に取付けられる共用画面６は、水平方向左右の角度を角度調整機構１０で変えることができる。
【００２５】
本発明の使用例について、図４を用いて説明する。
【００２６】
操作員Ａがテーブル１に着席すると、着席した位置を人感センサ４ａおよび４ｂで検出する。操作員Ａは無線送信機１３を持っており、無線受信機７ａが反応し、無線受信機７ｂは反応しない。
【００２７】
利用者Ａがテーブル１に着席すると、着席した位置を人感センサ４ｃおよび４ｄで検出する。利用者Ｂがテーブル１に着席すると、着席した位置を人感センサ４ｅで検出する。
【００２８】
制御装置１２は無線受信機７ａの検出状態から、操作員Ａがテーブル１の右側に着席していると判断し、人感センサ４ａ，４ｂの中間位置と専用画面２の現在位置から移動方向と距離を算出し、移動機構９を制御して専用画面２を移動させる。
【００２９】
また、制御装置１２は人感センサ４ｃ，４ｄ，４ｅの検出状態から、利用者はテーブル１の左側に複数着席していると判断し、人感センサ４ｃ，４ｄ，４ｅの中間位置と操作員Ａの位置から共用画面６を向ける方向を算出し、角度調整機構１０を制御して共用画面６の角度を変更する。
【００３０】
人物が足を動かしたりすると人感センサ４の反応状態が変化するが、専用画面２、共用画面６が細かく動かないようにするため、最初に長時間安定した人感センサの位置を基準にして、短時間の変化は無視し、基準位置から動かさないようにする。人感センサ４の反応が全て無くなった時点で利用が終了したとみなし、画面位置の基準設定を解除する。
【００３１】
また、専用画面位置、共用画面角度を操作員側のコマンド操作で微調整、固定する機能を持たせることにより、人感センサ４の検知情報から設定した位置と実際の人物の位置との誤差を修正することができる。
【００３２】
同型の表示装置内蔵テーブルが近接して設置される場合、着席したときに隣の表示装置内蔵テーブルの人感センサが反応する可能性がある。検出距離の短い反射型赤外線センサを用い、下方に向けることによって隣の表示装置内蔵テーブルの人物に反応することを避けることができる。
【００３３】
本例では、専用画面および共用画面の数はそれぞれ１つだが複数あってもよい。
【産業上の利用可能性】
【００３４】
銀行、証券会社、車のディーラーなど、資料を見ながら説明・相談を行なう場所で利用することができる。
【図面の簡単な説明】
【００３５】
【図１】表示装置内蔵テーブルのシステム構成例。
【図２】専用画面の移動機構の構成図。
【図３】共用画面の角度調整機構の構成図。
【図４】表示装置内蔵テーブルの使用例。
【符号の説明】
【００３６】
１…テーブル、２…専用画面、３…レール、４…人感センサ、５…支柱、６…共用画面、７…無線受信機、８…テーブル面、９…移動機構、１０…角度調整機構、１１…台座、１２…制御装置、１３…無線送信機。
【図１】
2009136510.tif 000003
【図２】
2009136510.tif 000004
【図３】
2009136510.tif 000005
【図４】
2009136510.tif 000006